(57)【特許請求の範囲】
【請求項１】
化粧品を収容する容器本体と、該容器本体にヒンジを介して連結された開閉可能な蓋体と、が備えられ、
外周部分に、前記蓋体の前記容器本体に対する閉状態を保持する係合部が設けられたコンパクト容器において、
前記容器本体又は前記蓋体に、前記係合部が設けられた係合位置の外周面に沿って延在するスリットが形成されることで、前記係合位置の周壁部に、スリット側に向かって弾性的に撓み変形可能であってスリット側に押圧されることで前記係合部を解除する操作片が形成されており、
前記スリットに、前記操作片の撓み変形を規制するロック位置と、前記操作片の撓み変形を許容するアンロック位置と、の間で前記スリットに沿ってスライド可能なスライドロック部材が装着され、
前記スライドロック部材は、前記スリット内に差し込まれ、かつ前記操作片における前記スリット側の内面に当接する差込部を備え、
前記差込部には、前記スライドロック部材が前記ロック位置に位置したときに、前記容器本体内に配設された係止部に係止されて、該スライドロック部材の、前記差込部が前記操作片の内面から前記コンパクト容器の内側に離間する向きの移動を規制し、かつ前記スライドロック部材が前記アンロック位置に位置したときに、前記係止部から離間して該係止部による係止が解除され、該スライドロック部材の、前記差込部が前記操作片の内面から前記コンパクト容器の内側に離間する向きの移動が許容される被係止部が配設され、
前記差込部は、前記操作片の内面から前記コンパクト容器の内側に離間する側に向けて折り返された縦断面視略Ｕ字状に形成され、その折り返し部分が弾性変形されつつ前記スリットに差し込まれ、かつ前記被係止部が前記スリットを通り抜けたときに復元変形され、
前記被係止部が、前記容器本体の内面又は前記蓋体の内面における前記スリットの開口周縁部に係止されることにより、前記スライドロック部材が前記スリットから抜け止めされていることを特徴とするコンパクト容器。
【請求項２】
請求項１に記載のコンパクト容器において、
前記係合部が前記ヒンジの反対側の部分に設けられ、
前記スリットが前記ヒンジの反対側の外周面に沿って延在していることを特徴とするコンパクト容器。
【発明の詳細な説明】
【技術分野】
【０００１】
本発明は、化粧品を収容するためのコンパクト容器に関する。
【背景技術】
【０００２】
この種のコンパクト容器としては、例えば下記特許文献１に示されているような、化粧品を収容する容器本体と、その容器本体の後端部にヒンジを介して連結された開閉可能な蓋体と、を備える構成が知られている。このコンパクト容器の前端部分には、蓋体の容器本体に対する閉状態を保持する係合部が設けられている。また、容器本体の前端部分には、容器本体の前方側の周壁部に沿って延在するスリットが形成されており、前方側の周壁部には、スリット側に向かって弾性的に撓み変形可能な操作片が形成されている。このコンパクト容器によれば、操作片をスリット側に押圧することで係合部が外れるので、蓋体を容易に開けることができる。
【先行技術文献】
【特許文献】
【０００３】
【特許文献１】実公昭６１−７６０４号公報
【発明の概要】
【発明が解決しようとする課題】
【０００４】
しかしながら、上記した従来のコンパクト容器では、例えばバッグに入れて携帯している時などに操作片が誤って押圧されることで蓋体が不用意に開いてしまうという問題が存在する。
【０００５】
本発明は、上記した従来の問題が考慮されたものであり、蓋体が不用意に開くのを防止することができるコンパクト容器を提供することを目的としている。
【課題を解決するための手段】
【０００６】
本発明に係るコンパクト容器は、化粧品を収容する容器本体と、該容器本体にヒンジを介して連結された開閉可能な蓋体と、が備えられ、外周部分に、前記蓋体の前記容器本体に対する閉状態を保持する係合部が設けられたコンパクト容器において、前記容器本体又は前記蓋体に、前記係合部が設けられた係合位置の外周面に沿って延在するスリットが形成されることで、前記係合位置の周壁部に、スリット側に向かって弾性的に撓み変形可能であってスリット側に押圧されることで前記係合部を解除する操作片が形成されており、前記スリットに、前記操作片の撓み変形を規制するロック位置と、前記操作片の撓み変形を許容するアンロック位置と、の間で前記スリットに沿ってスライド可能なスライドロック部材が装着され、前記スライドロック部材は、前記スリット内に差し込まれ、かつ前記操作片における前記スリット側の内面に当接する差込部を備え、前記差込部には、前記スライドロック部材が前記ロック位置に位置したときに、前記容器本体内に配設された係止部に係止されて、該スライドロック部材の、前記差込部が前記操作片の内面から前記コンパクト容器の内側に離間する向きの移動を規制し、かつ前記スライドロック部材が前記アンロック位置に位置したときに、前記係止部から離間して該係止部による係止が解除され、該スライドロック部材の、前記差込部が前記操作片の内面から前記コンパクト容器の内側に離間する向きの移動が許容される被係止部が配設され、前記差込部は、前記操作片の内面から前記コンパクト容器の内側に離間する側に向けて折り返された縦断面視略Ｕ字状に形成され、その折り返し部分が弾性変形されつつ前記スリットに差し込まれ、かつ前記被係止部が前記スリットを通り抜けたときに復元変形され、前記被係止部が、前記容器本体の内面又は前記蓋体の内面における前記スリットの開口周縁部に係止されることにより、前記スライドロック部材が前記スリットから抜け止めされていることを特徴としている。
【０００７】
このような特徴により、蓋体が閉じられた状態でスライドロック部材がロック位置に配置されていると、このスライドロック部材によって操作片のスリット側への撓み変形が規制されるので、操作片が押圧されても係合部が外れることがなく、蓋体の閉状態が保持される。また、蓋体を開ける際には、まず、スライドロック部材をアンロック位置までスライドさせる。これにより、操作片のスリット側への撓み変形が許容され、操作片をスリット側に押圧することで係合部が外れて蓋体が開けられる。
【０００８】
また、本発明に係るコンパクト容器は、前記係合部が前記ヒンジの反対側の部分に設けられ、前記スリットが前記ヒンジの反対側の外周面に沿って延在していることが好ましい。
これにより、係合部やスライドロック部材を複数の位置に設けなくても、蓋体の閉状態が確実に保持される。
【発明の効果】
【０００９】
本発明に係るコンパクト容器によれば、スライドロック部材をアンロック位置にしなければ操作片が押圧されても係合部が外れないので、スライドロック部材をロック位置に配置しておくことで蓋体が不用意に開くのを防止することができる。
【図面の簡単な説明】
【００１０】
【図１】本発明の実施の形態を説明するためのコンパクト容器の上面図である。
【図２】本発明の実施の形態を説明するためのコンパクト容器の下面図である。
【図３】図１に示すＡ−Ａ´間の断面図である。
【図４】図２に示すＢ−Ｂ´間の断面図であり、スライドロック部材がロック位置に配置された状態を表す図である。
【図５】図２に示すＣ−Ｃ´間の断面図であり、スライドロック部材がアンロック位置に配置された状態を表す図である。
【図６】本発明の変形例を説明するためのコンパクト容器の下面図である。
【図７】図６に示すＤ−Ｄ´間の断面図であり、スライドロック部材がロック位置に配置された状態を表す図である。
【図８】図６に示すＥ−Ｅ´間の断面図であり、スライドロック部材がアンロック位置に配置された状態を表す図である。
【発明を実施するための形態】
【００１１】
以下、本発明に係るコンパクト容器の実施の形態について、図面に基づいて説明する。
【００１２】
図１〜図３に示すように、本実施形態のコンパクト容器１は、化粧品を収容する携帯用の蓋付き容器であり、平面視矩形状の扁平容器である。このコンパクト容器１は、図示せぬ化粧料及び化粧塗布具をそれぞれ収容する容器本体２と、その容器本体２にヒンジ４を介して連結された開閉可能な蓋体３と、を備えており、ヒンジ４の反対側の縁部に、蓋体３の容器本体２に対する閉状態を保持する係合部５が設けられている。
【００１３】
なお、本実施形態では、容器本体２からみて蓋体３側を「上」とし、その反対側を「下」とする。また、容器本体２からみてヒンジ４側を「後」とし、その反対側（係合部５側）を「前」とする。また、前後方向（図１に示すＹ方向）に直交する水平方向（図１に示すＸ方向）を「横方向」とする。
【００１４】
容器本体２は、化粧料を収容する図示せぬ中皿を収容保持する第一凹部２１と図示せぬ塗布具を収容する第二凹部２２とが内部にそれぞれ形成された収容部であり、平面視矩形箱状の外装体６と、その外装体６の内側に嵌合されて第一、第二凹部２１、２２をそれぞれ形成する内装体７と、を備えている。
【００１５】
図２、図３に示すように、外装体６は、底壁部６０の外縁に周壁部６１が全周に亘って立設された構成からなる。底壁部６０は、横方向に長い平面視略矩形状の平板部である。周壁部６１は、平面視矩形環状に形成された壁部であり、底壁部６０に対して垂直に立設されている。この周壁部６１には、ヒンジ４を構成するヒンジ凹部４０が設けられた後方側の後壁部６２と、係合部５の爪部５０が設けられた前方側の前壁部６３と、横方向両側の側壁部６４，６４と、が備えられている。
【００１６】
図２、図４に示すように、前記した底壁部６０の前方側の部分には、前壁部６３の内周面に沿って延在するスリット６５が形成されている。このスリット６５は、一方の側壁部６４の内面から他方の側壁部６４の内面にかけて横方向に直線的に延在していると共に、平面視において前壁部６３に隣接している。
【００１７】
上記したように底壁部６０にスリット６５が形成されることで、前壁部６３全体が、スリット６５側に向かって弾性的に撓み変形可能な操作片６６となっている。この操作片６６（前壁部６３）は、スリット６５側に押圧されることで係合部５を解除する係合解除部であり、この操作片６６には、係合部５の爪部５０が設けられている。
【００１８】
詳しく説明すると、操作片６６は、底壁部６０に対して垂直な向きに配置されていると共に横方向に延在する帯状の板部である。この操作片６６の長さ方向（横方向）の両端部は側壁部６４，６４にそれぞれ連結されており、操作片６６は両側の側壁部６４，６４の間に架設されている。また、操作片６６の長さ方向の中央部には、操作片６６の内面の上端部から上方に突出した係合部５の爪部５０が突設されている。また、操作片６６の長さ方向の中央部の外面には、外側に膨出した押圧面６７が形成されている。
【００１９】
上記したスリット６５には、当該スリット６５に沿って横方向にスライド可能なスライドロック部材８が装着されている。このスライドロック部材８は、操作片６６のスリット６５側への撓み変形を規制するロック位置（図２に示す実線の位置）と、操作片６６のスリット６５側への撓み変形を許容するアンロック位置（図２に示す一点鎖線の位置はロック位置からアンロック位置への移動状態を示す）と、の間で切り替え可能である。このスライドロック部材８の概略構成としては、底壁部６０の下面に摺動可能に配置された操作部８０と、操作部８０の裏面（上面）に突設されてスリット６５内に差し込まれた差込部８１と、を備えている。
【００２０】
操作部８０は、横方向に長い平面視矩形状の板部であり、底壁部６０の下面に沿って配置されている。この操作部８０の表面（下面）は長手方向の中央部分が窪んだ凹曲面状に形成されており、これにより、操作部８０を操作する際に指等が掛かりやすくなっている。なお、操作部８０の表面に、短手方向に延在する凸リブなどの滑り止めを形成することも可能である。
【００２１】
差込部８１は、スリット６５に沿って横方向に延在すると共に先端部８１ａが後方側に折り返されて縦断面視略Ｕ字状に形成されたフック状の板部である。この差込部８１は、基端部８１ｂがスリット６５内に挿通されて先端部８１ａが外装体６の内部に配置されている。また、前記した差込部８１の基端部８１ｂの板厚さ寸法ｄは、スリット６５の幅寸法ｗよりも小さく、差込部８１の基端部８１ｂの後面（後方側を向いた表面）とその後面に対向するスリット６５の内面との間には隙間が開けられている。また、差込部８１の先端部８１ａの後方側の下端部には、外装体６の内側に設けられた係止部６８に係止される被係止部８２が設けられている。
【００２２】
前記した係止部６８は、スリット６５と平行に横方向に延在する凸リブであり、底壁部６０の前端部分の横方向中央部の上面に突設されている。この係止部６８は、上記した被係止部８２を後方側から係止してスライドロック部材８の後方移動を規制するストッパー部であり、スリット６５の後方側に配設されている。
【００２３】
また、上記した外装体６には、上記スライドロック部材８がロック位置までスライドしたところで係止するロックストッパー部６９Ａと、上記スライドロック部材８がアンロック位置までスライドしたところで係止するアンロックストッパー部６９Ｂと、が設けられている。これらのロック／アンロックストッパー部６９Ａ，６９Ｂは、スライドロック部材８の操作部８０の側端面に係合可能な凸リブであり、底壁部６０の下面に突設されてるい。また、ロック／アンロックストッパー部６９Ａ，６９Ｂは、スライドロック部材８のスライド方向に直交する方向（前後方向）に沿って延設されていると共に、スライドロック部材８を挟んで横方向に間隔をあけて平行に並設されている。詳しく説明すると、ロック／アンロックストッパー部６９Ａ，６９Ｂは、スリット６５の後方側にそれぞれ配設されており、スリット６５の後方側の縁部から後方側に向かってそれぞれ延設されている。
【００２４】
図１〜図３に示すように、内装体７は、第一、第二凹部２１、２２をそれぞれ形成する第一、第二枠部７１、７２が横方向に並設された枠体である。第一、第二枠部７１、７２の上端に設けられたフランジ部７０の外縁が外装体６の周壁部６１の上端面に係止されている。また、フランジ部７０の前端部の横方向中央部分には、凹状の切欠き７３が形成されており、この切欠き７３の内側に係合部５が配置されている。
【００２５】
図１、図３に示すように、蓋体３は、天壁部３０の外縁に周壁部３１が全周に亘って垂下された構成からなる。天壁部３０は、横方向に長い平面視略矩形状の平板部であり、容器本体２の上方に配置されている。周壁部３１は、平面視矩形環状に形成された壁部であり、天壁部３０に対して垂直に形成されている。この周壁部３１の後方側の後壁部３２にはヒンジ軸壁４１が垂下されており、また、周壁部３１の前方側の前壁部３３の横方向中央部分には、上記した係合部５の爪部５０にアンダーカット嵌合する係合凸部５１が設けられている。この係合凸部５１は、前壁部３３の内面の下部に突設されている。前記したヒンジ軸壁４１は、上記したヒンジ凹部４０の内側に配置されており、このヒンジ軸壁４１の両端部とヒンジ凹部４０とが軸部４２を介して連結されることでヒンジ４が形成されている。
また、上記した天壁部３０の下面には、鏡体９が接合されている。
【００２６】
次に、上記した構成からなるコンパクト容器１の作用について説明する。
【００２７】
上記したコンパクト容器１では、蓋体３が閉じられていると、図４に示すように容器本体２側の爪部５０が蓋体３側の係合凸部５１にアンダーカット嵌合される。これにより、蓋体３の閉状態が保持される。このとき、図２に示すようにスライドロック部材８がロック位置に配置されていると、図４に示すようにスライドロック部材８の被係止部８２が係止部６８に係止され、スライドロック部材８の後方変位が規制される。これにより、スライドロック部材８によって操作片６６の長さ方向中央部分が係止され、操作片６６のスリット６５側への撓み変形が規制される。したがって、操作片６６が押圧されても操作片６６がスリット６５側に撓み変形することがないので、係合部５が外れず、蓋体３の閉状態が保持される。
【００２８】
一方、上記した蓋体３を開ける際には、まず、図２に示すように、ロック位置にあるスライドロック部材８をスリット６５に沿ってアンロック位置までスライドさせる。具体的に説明すると、スライドロック部材８の操作部８０を操作し、操作部８０がアンロックストッパー部６９Ｂを乗り越えて係止されるところまでスライドロック部材８を移動させる。これにより、図５に示すようにスライドロック部材８の被係止部８２が係止部６８から外れてスライドロック部材８の後方変位が許容され、操作片６６のスリット６５側への撓み変形が許容される。続いて、操作片６６の押圧面６７をスリット６５側に押圧する。このとき、上述したようにスライドロック部材８による操作片６６の係止が解除されているので、押圧面６７が押圧されることにより操作片６６がスリット６５側に弾性的に撓み変形する。その結果、操作片６６に付設された爪部５０が後方側に移動して係合凸部５１から外れ、係合部５の係合が解除される。これにより、蓋体３がヒンジ４回りに回動可能となり、蓋体３が開けられる。
【００２９】
また、コンパクト容器１の製造時において、上記したスライドロック部材８をスリット６５に装着する際には、スライドロック部材８の差込部８１を底壁部６０の下面側からスリット６５内に嵌め込む。このとき、差込部８１の折り返し部分が弾性変形しながら差込部８１がスリット６５に挿入される。そして、スライドロック部材８の被係止部８２がスリット６５を通り抜けたところで差込部８１が復元される。これにより、被係止部８２が底壁部６０の上面に係止されて差込部８１が抜け止めされる。
【００３０】
上記したコンパクト容器１によれば、スライドロック部材８をアンロック位置にしなければ操作片６６が押圧されても係合部５が外れないので、スライドロック部材８をロック位置にしておくことで蓋体３が不用意に開くことを防止することができる。
【００３１】
また、スライドロック部材８をスリット６５に装着する際、差込部８１をスリット６５に嵌め込むだけなので、スライドロック部材８の取り付け作業を容易に行うことができる。
【００３２】
以上、本発明に係るコンパクト容器の実施の形態について説明したが、本発明は上記した実施の形態に限定されるものではなく、その趣旨を逸脱しない範囲で適宜変更可能である。
例えば、上記した実施の形態では、容器本体２（外装体６）の底壁部６０にスリット６５が形成され、容器本体２（外装体６）の周壁部６１に操作片６６が形成されているが、本発明は、蓋体３の天壁部３０にスリットが形成され、蓋体３の周壁部（前壁部３３）に操作片が形成された構成であってもよい。
【００３３】
また、上記した実施の形態におけるスライドロック部材８は、差込部８１の基端部８１ｂの後面（後方側を向いた表面）とその後面に対向するスリット６５の内面との間に隙間が開けられており、差込部８１の被係止部８２が底壁部６０上の係止部６８に係止されることでスライドロック部材８の後方移動が規制されてロック状態となり、少なくとも差込部８１の先端部が係止部６８から外れる位置までスライドロック部材８がスライドすることで操作片６６の後方移動が許容されてアンロック状態となるが、スライドロック部材８のスライド移動量は使用者によって適宜設定できる。例えば、スライドロック部材８のスライド移動を差込部８１の被係止部８２が係止部６８から外れた直後までとした場合などには、スライド部材８を後方に移動させたり、差込部８１のＵ字状の先端部８１ａを前後方向に弾性変形させたりしながら、操作片６６を後方に移動させることができる。但し、スライド移動量を大きくするほど、操作片６６の弾性変形に必要な力は小さくてすむため、スライドロック部材８をスリット６５の端部付近まで移動させることで操作性を向上させることができる。
【００３４】
また、本発明は、他の構成のスライドロック部材であってもよく、例えば、図６、図７に示すような、スリット１６５の内面に係止されてロック状態となるスライドロック部材１０８であってもよい。このスライドロック部材１０８は、差込部１８１の後面がそれに対向するスリット１６５の内面に係止されることでスライドロック部材１０８の後方移動が規制されてロック状態となる。また、スリット１６５の後方側の縁部（内面）の一部に平面視凹状の切欠き１６５ａが形成されており、この切欠き１６５ａの位置に差込部１８１が配置されるところまでスライドロック部材１０８をスライドさせることで、スライドロック部材８の後方移動が許容されてアンロック状態となる。また、前記したスライドロック部材１０８には、操作部１８０の前方側の縁部に立上げ壁部１８３が立設されており、この立上げ壁部１８３と差込部１８１とによって操作片６６の下端部を挟み込んでいる。
なお、前記切欠き１６５ａは設けなくともよく、この場合にはスライドロック部材１０８を大きく移動（例えば、スリット１６５の末端部まで）させることで、操作片６６を良好に弾性変形させることができる。
【００３５】
また、上記した実施の形態では、操作片６６の長さ方向の両端がそれぞれ固定端となっているが、本発明は、スリットの長さ方向の一端が容器本体２の外周面または途中まで延びており、操作片６６の長さ方向の一端が自由端となっていてもよい。
【００３６】
また、上記した実施の形態では、操作片６６に係合部５の爪部５０が設けられているが、本発明は、操作片６６に係合部が設けられていない構成にすることも可能である。例えば、操作片６６の後方に、容器本体２の底壁部６０の上面に立設された壁部が配設され、この壁部の前面に係合部を形成する。また、蓋体３の前端部の下面に、下方に向かって後方側に傾斜した前端面を有するガイド部を突設させ、このガイド部の後面に前記係合部と係合する被係合部を設ける。そして、操作片６６には、ガイド部の前端面に摺接する摺接部を形成する。これにより、操作片６６をスリット６５側に押圧することで、摺接部がガイド部の前端面を押圧しながら摺動してガイド部を上方に押し上げる。その結果、蓋体３の被係合部が容器本体２の係合部から外れて蓋体３が開けられる。
【００３７】
また、上記した実施の形態では、容器本体２が、第一、第二凹部２１、２２をそれぞれ形成する内装体７が外装体６の内側に嵌合された構成からなるが、本発明における容器本体は、外装体６と内装体７の２部品からなるものに限定されず、容器本体の内側に凹部が一体に形成された１部品からなる容器本体であってもよい。また、本発明は、容器本体２の内部に凹部が１つだけ形成されていてもよく、或いは、容器本体２の内部に３つ以上の凹部が形成されていてもよい。
【００３８】
また、上記した実施の形態では、容器本体２の底面および蓋体３の上面がそれぞれ平らな平面視矩形状のコンパクト容器１について説明しているが、本発明に係るコンパクト容器の形状は適宜変更可能である。例えば、コンパクト容器の平面視形状が円形や三角形、六角形などであってもよい。また、容器本体の底面および蓋体の上面のうちの少なくとも一方がドーム状に膨出した形状であってもよい。
【００３９】
また、上記した実施の形態では、係合部５がヒンジ４の反対側の外周部分に設けられ、スリット６５がヒンジ４の反対側の外周面に沿って延在しているが、本発明は、係合部５がヒンジ４の反対側以外の外周部分に設けられていてもよい。この場合、スリットは、係合部が設けられた係合位置の外周面に沿って形成され、その係合位置の周壁部に操作片が形成される。例えば、上記したコンパクト容器１における横方向の両側部分に係合部がそれぞれ設けられ、底壁部６０の横方向両端部分に、側壁部６４，６４に沿って延在するスリットがそれぞれ形成され、両側の側壁部６４，６４に操作片がそれぞれ形成されていてもよい。
【００４０】
また、上記した実施の形態では、スライドロック部材８の操作部８０が底壁部６０のフラットな下面の下方に配設されているが、本発明は、底壁部６０の下面に、スライドロック部材８をスライド可能に収容する窪み部（例えば凹部或いは段差部）が形成された構成にすることも可能である。これにより、スライドロック部材８が底壁部６０の下面よりも下方に突出しなくなり、或いは、突出寸法が低減されるので、底壁部６０を下にしてコンパクト容器１を載置したときのガタツキを抑えることができる。
【００４１】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４２】
１  コンパクト容器
２  容器本体
３  蓋体
４  ヒンジ
５  係合部
８、１０８  スライドロック部材
６３  前壁部（ヒンジの反対側の周壁部）
６５、１６５  スリット
６６  操作片
【図１】
0005707156.tif 000002
【図２】
0005707156.tif 000003
【図３】
0005707156.tif 000004
【図４】
0005707156.tif 000005
【図５】
0005707156.tif 000006
【図６】
0005707156.tif 000007
【図７】
0005707156.tif 000008
【図８】
0005707156.tif 000009